(57)【要約】【課題】自車周囲の状況に応じて対向車や歩行者にグレアを与えないように配光パターンの自動切替を行うシステムを防眩柵が存在する道路で利用する場合でも、適切な配光パターンの切り替え制御が可能な前照灯制御システムを提供する。【解決手段】前照灯制御システム１００は、自車前方に照射する配光パターンを自車の周囲の状況に応じて少なくともハイビーム状態とそれ以外の状態に自動切り替えが可能な灯具ユニット１０と、灯具ユニット１０が照射した配光パターンの光の少なくとも一部が自車側方に立設された防眩柵を照らす場合の壁面画像を撮影可能な撮影ユニット１０２と、撮影した壁面画像の壁面上端位置を越えて灯具ユニット１０から照射される配光パターンの光が当たっている場合、灯具ユニット１０の少なくともハイビーム状態での照射を回避する車両制御部３０２と、を備える。【選択図】図１
2011143772.tif 000002
【特許請求の範囲】
【請求項１】
自車前方に照射する配光パターンを自車の周囲の状況に応じて少なくともハイビーム状態とそれ以外の状態に自動切り替えが可能な灯具ユニットと、
前記灯具ユニットが照射した配光パターンの光の少なくとも一部が自車側方に立設された壁面を照らす場合の壁面画像を撮影可能な撮影ユニットと、
撮影した前記壁面画像の壁面上端位置を越えて前記灯具ユニットから照射される配光パターンの光が当たっている場合、前記灯具ユニットの少なくともハイビーム状態での照射を回避する制御部と、
を備えることを特徴とする前照灯制御システム。
【請求項２】
前記制御部は、前記ハイビーム状態での照射を回避する制御の実行中、前記灯具ユニットの自動切り替え制御を少なくとも所定期間停止することを特徴とする請求項１記載の前照灯制御システム。
【請求項３】
前記灯具ユニットは、前記ハイビーム状態の配光パターンを車幅方向に複数に分割した縦割分割パターンで形成し、
前記制御部は、前記灯具ユニットのハイビーム状態での照射を回避する場合、前記壁面を照らしている縦割分割パターンを選択的に消灯することを特徴とする請求項１または請求項２記載の前照灯制御システム。
【発明の詳細な説明】
【技術分野】
【０００１】
本発明は、前照灯制御システム、特に自車周囲の状況に応じて照射する配光パターンの自動切替が可能な配光可変型の前照灯制御システムに関する。
【背景技術】
【０００２】
従来、光源からの光をシェードにより遮光することによりロービームを形成し、シェードにより遮光しない場合にハイビームを形成する配光可変タイプの車両用前照灯装置がある。また、自車の周囲に前走車や対向車、歩行者等が存在するか否かを検出して、前走車や対向車、歩行者等にグレアを与える可能性が低い場合にハイビームの点灯を自動的に行う前照灯制御装置がある。この前照灯制御装置は、前走車や対向車、歩行者等にグレアを与えないように配慮しつつ、ハイビームの利用頻度を高めることができる（例えば、特許文献１参照）。
【先行技術文献】
【特許文献】
【０００３】
【特許文献１】特開２０００−１９８３８５号公報
【発明の概要】
【発明が解決しようとする課題】
【０００４】
上述したような前照灯制御装置の場合、前走車や対向車、歩行者等の存在の有無を取得した画像等を用いて検出している。そして、それらが検出されない場合にはハイビームに自動的に切り替えることでグレアの抑制を実現しいている。ところで、道路によっては自車線の側方に防眩柵が設けられている場合がある。例えば、バイパス道路や高速道路には対向車線との間を壁や植え込み等で分離して自車線と対向車線でそれぞれ走行する車両同士で互いにグレアを与えにくくしている。この防眩柵の高さは道路によって異なる場合がある。また、植え込みを利用した防眩緑化柵の場合、植物の成長状態によって高さが異なることがある。前述したように配光パターンの自動切替制御を実行している場合、前走車や対向車、歩行者等が存在しないことに基づきハイビームを照射していたとする。この場合、防眩柵の高さが低い所では自車のハイビームの一部が防眩柵を越えて対向車線に照射されてしまうことがある。このとき、対向車線側の対向車や歩行者は防眩柵によって、その形状の一部が遮られている場合があり、スムーズな存在検出ができない場合がある。このような場合で自車において自動切替制御が実行されている場合、前照灯制御装置は前走車が存在しなければ、ハイビームを照射し続けることになり、ハイビームの一部が防眩柵を越えて存在するかもしれない対向車や歩行者にグレアを与えてしまうという可能性がある。同様に座席位置の高いトラック等も防眩柵によって検出がスムーズにできない場合があり、トラック等の運転者にグレアを与えてしまう場合がある。
【０００５】
本発明は上述した課題を解決するためになされたものであり、その目的は、自車周囲の状況に応じて対向車や歩行者にグレアを与えないように配光パターンの自動切替を行うシステムを防眩柵が存在する道路で利用する場合でも、適切な配光パターンの切り替え制御が可能な前照灯制御システムを提供することにある。
【課題を解決するための手段】
【０００６】
上記課題を解決するために、本発明のある態様の前照灯制御システムは、自車前方に照射する配光パターンを自車の周囲の状況に応じて少なくともハイビーム状態とそれ以外の状態に自動切り替えが可能な灯具ユニットと、灯具ユニットが照射した配光パターンの光の少なくとも一部が自車側方に立設された壁面を照らす場合の壁面画像を撮影可能な撮影ユニットと、撮影した壁面画像の壁面上端位置を越えて灯具ユニットから照射される配光パターンの光が当たっている場合、灯具ユニットの少なくともハイビーム状態での照射を回避する制御部と、を備える。
【０００７】
撮影ユニットは、車両に搭載されて他のシステムで利用されている例えばカメラユニットを利用することができる。例えば、前走車や対向車、歩行者等の存在の有無等の車両周囲の状況を撮影するカメラユニットが利用して、壁面画像を撮影することができる。また壁面撮影用の専用の撮影ユニットを備えてもよい。この態様によると、撮影した壁面画像の壁面上端位置を越えて灯具ユニットから照射される配光パターンの光が当たっている場合は、灯具ユニットの少なくともハイビーム状態での照射を回避する。つまり、自車の照射している配光パターンが側方の壁面に当たった場合に形成される映込形状の上端部が欠けている場合、壁が低く光が対向車線側に抜けて対向車や歩行者にグレアを与える可能性があるので、グレアを与えにくいハイビーム以外の配光パターンに自動的に切り替える。逆に、自車の照射している配光パターンが側方の壁面に当たった場合に形成される映込形状の上端部が欠けていない場合、つまり、壁面に配光パターンが完全に映り込んでいる場合は、現在の配光パターンを照射し続けても対向車や歩行者にグレアを与えない。従って、制御部は自車の運転者の視界範囲拡大のためにハイビーム照射を許可する。
【０００８】
制御部は、ハイビーム状態での照射を回避する制御の実行中、灯具ユニットの自動切り替え制御を少なくとも所定期間停止してもよい。撮影した壁面画像の壁面上端位置を越えて灯具ユニットから照射される配光パターンの光が当たっていることに基づき、ハイビーム以外の配光パターンに切り替えた場合を考える。自車の側方である対向車線側では、グレア抑制の対象物、例えば対向車や歩行者が確認しにくいことには変わりがないので、前走車等自車線にグレア抑制の対象が現れない限り再びハイビームへ切り替わる可能性が高い。その結果、再び光が壁面上端位置を越えて照射されることになる。そして、上述の対向車線側へのグレア回避制御が実行されてハイビーム以外の配光パターンに切り替わる。つまり、ハイビームとそれ以外が繰り返しスイッチングされるパッシング状態になる。そこで、ハイビーム状態での照射を回避する制御の実行中、灯具ユニットの自動切り替え制御を少なくとも所定期間停止することで、ハイビーム以外の配光パターンの照射が維持されて上述の不都合を解消できる。また、所定期間経過後自動切替制御に復帰させるので、壁面高さの変化にも対応できる。つまり、走行により十分な壁面高さのある位置に移動した場合には、再びハイビームの照射が可能になるように制御できる。
【０００９】
灯具ユニットは、ハイビーム状態の配光パターンを車幅方向に複数に分割した縦割分割パターンで形成し、制御部は、灯具ユニットのハイビーム状態での照射を回避する場合、壁面を照らしている縦割分割パターンを選択的に消灯してもよい。縦割分割パターンは、例えば、光源からの光を遮蔽するシェードを車幅方向に分割し個別駆動させることで実現できる。また、専用のシェード、例えば自車線側をハイビームとし対向車線側をロービームとする片側ハイビーム用のシェードを用いることによっても実現できる。この態様によれば、自車の運転手に適切な視界を提供しつつ、グレア回避制御が容易にできる。
【発明の効果】
【００１０】
本発明の前照灯制御システムによれば、自車周囲の状況に応じて対向車や歩行者にグレアを与えないように配光パターンの自動切替を行うシステムを防眩柵が存在する道路で利用する場合でも、適切な配光パターンの切り替え制御が可能になる。
【図面の簡単な説明】
【００１１】
【図１】本実施形態の前照灯制御システムの構成概念図である。
【図２】本実施形態の前照灯制御システムにおける前照灯ユニットの内部構造を説明する概略断面図である。
【図３】防眩柵の高さと灯具ユニットから照射される配光パターンの光の当たり方との関係を説明する説明図である。
【図４】本実施形態の前照灯制御システムの制御部が実行する制御を説明するフローチャートである。
【図５】本実施形態の前照灯制御システムが照射する配光パターンの形状を説明する説明図である。
【発明を実施するための形態】
【００１２】
以下、本発明を実施するための形態（以下実施形態という）を、図面に基づいて説明する。
【００１３】
図１は、本実施形態の前照灯制御システム１００の構成概念図である。前照灯制御システム１００は、撮影ユニット１０２と前照灯ユニット２１０を中心に構成されている。前照灯ユニット２１０は、車両の車幅方向の端部に左側の前照灯ユニット２１０Ｌと右側の前照灯ユニット２１０Ｒを１灯ずつ配置している。本実施形態の前照灯ユニット２１０Ｌ，２１０Ｒは、例えば１つの光源から照射されるビームの一部を遮ることによりロービーム用配光パターンを形成し、遮らないときにハイビーム用配光パターンを形成する、いわゆる配光可変式前照灯である。
【００１４】
各前照灯ユニット２１０Ｌ，２１０Ｒに含まれる灯具ユニット１０は、車幅方向と直交する車両前方に向く光軸を有する複数の配光パターンを形成する。各前照灯ユニット２１０Ｌ，２１０Ｒは、交通法規が左側通行である地域で利用するロービーム用配光パターンと、ハイビーム用配光パターンを含む。また、交通法規が右側通行である地域で利用する、いわゆる「ドーバーロービーム」と称される右通行ロービーム用配光パターン、ハイビーム用配光パターンの一部を遮光した片側ハイビーム用配光パターン等を形成できるものを含んでもよい。
【００１５】
撮影ユニット１０２は、灯具ユニット１０の光により照らされる車外状況を含む画像を撮影するＣＣＤカメラで構成できる。撮影ユニット１０２は、例えばルームミラーの裏側ブラケットやフロントガラスの内側、ダッシュボードの上など車両前方を見渡せる位置に固定することが望ましい。撮影ユニット１０２の撮影範囲は、自車前方の領域で、少なくとも自車が走行する自車線と対向車線および路側を含み、ハイビーム用配光パターンの照射領域を含む範囲とすることが望ましい。また、片側複数車線の場合は、自車線と少なくとも自車線の左右の車線を含み、ハイビーム用配光パターンの照射領域を含む範囲とすることが望ましい。撮影ユニット１０２の画角は例えば左右に±２０°とすることができる。撮影ユニット１０２で撮影された画像データは、検出ユニット１０４に提供される。検出ユニット１０４は、撮影ユニット１０２から提供される情報に基づいて画像データの処理を行い前走車や対向車等の前方車の検出、自車前方の歩行者等を取得する。前走車や対向車の検出、歩行者等の検出は、例えばパターンマッチングを用いた画像処理など周知の方法を用いて実行できる。また、前走車や対向車の検出は、テールランプや前照灯の光点を検出することでもできる。例えばテールランプの場合、赤色の２個の光点が同様な動きを示す。このような赤色の光点が確認できる場合、前走車が存在すると見なせる。また、ヘッドライトの場合は、白色または黄色の２個の光点が同様な動きを示す。このような白色または黄色の光点が確認できる場合、対向車が存在すると見なせる。
【００１６】
本実施形態において、撮影ユニット１０２は、自車走行車線の側方に防眩柵等の壁面が存在する場合、この壁面に映り込む自車が照射する配光パターンによる映込形状（明部分）も撮影できる。つまり、上述したような画角設定をすることにより防眩柵に映りこむ配光パターンによる映込形状を前走車や対向車、歩行者等と同様に取得する。ここで、防眩柵は、対向車線と自車線とを壁で分離することにより、自車と対向車によるグレアを軽減しようとするもので、例えば、通常のガードレールより高さの高い板状のものや植物の植え込みによるものなどを含む。また、本実施形態において、検出ユニット１０４は、前走車や対向車、歩行者等の検出に加え、防眩柵が存在する場合には、そこに映り込んでいる自車の照射する配光パターンの映込形状の検出も実施する。なお、撮影ユニットは、防眩柵方向を専用に撮影するものでもよい。また、検出ユニット１０４は、撮影ユニット１０２に含まれてもよい。
【００１７】
検出ユニット１０４は検出した自車の車外状況に関する情報を車両制御部３０２に提供し、当該車両制御部３０２はその情報に基づく指示を前照灯ユニット２１０Ｌ，２１０Ｒの照射制御部２２８Ｌ，２２８Ｒに提供する。そして、照射制御部２２８Ｌ，２２８Ｒでは自車の車外状況の検出状態に適した配光パターンの形成制御を実行する。
【００１８】
図２は、本実施形態の前照灯ユニット２１０の内部構造を説明する概略断面図である。前照灯ユニット２１０は車両の車幅方向の左右に１灯ずつ配置される配光可変式前照灯であり、その構造は実質的に左右同等なので代表して車両右側に配置される前照灯ユニット２１０Ｒの構造を説明する。前照灯ユニット２１０Ｒは、ランプボディ２１２と透明カバー２１４を含む。ランプボディ２１２は、車両前方方向に開口部を有し、後方側にはバルブ１４の交換時等に取り外す着脱カバー２１２ａを有する。そして、ランプボディ２１２の前方の開口部には、透明カバー２１４が接続されて灯室２１６が形成される。灯室２１６には、光を車両前方方向に照射する灯具ユニット１０が収納されている。灯具ユニット１０の一部には、当該灯具ユニット１０の揺動中心となるピボット機構２１８ａを有するランプブラケット２１８が形成されている。ランプブラケット２１８はランプボディ２１２の壁面に回転自在に支持されたエイミング調整ネジ２２０と螺合している。したがって、灯具ユニット１０はエイミング調整ネジ２２０の調整状態で定められた傾動可能な状態で灯室２１６内の所定位置に支持されることになる。
【００１９】
また、灯具ユニット１０の下面には、スイブルアクチュエータ２２２の回転軸２２２ａが固定され灯具ユニット１０が水平方向に回動可能とされている。
【００２０】
スイブルアクチュエータ２２２は、ユニットブラケット２２４に固定されている。ユニットブラケット２２４には、ランプボディ２１２の外部に配置されたレベリングアクチュエータ２２６が接続され灯具ユニット１０が鉛直方向に傾動可能とされている。
【００２１】
灯室２１６の内壁面、例えば、灯具ユニット１０の下方位置には、灯具ユニット１０の点消灯制御や配光パターンの形成制御を実行する照射制御部２２８が配置されている。この照射制御部２２８は、スイブルアクチュエータ２２２、レベリングアクチュエータ２２６等の制御も実行する。
【００２２】
灯具ユニット１０は、可動シェードユニット１２を含むシェード機構１８、光源としてのバルブ１４、リフレクタ１６を内壁に支持する灯具ハウジング１７、投影レンズ２０で構成される。バルブ１４は、例えば、白熱球やハロゲンランプ、放電球、ＬＥＤなどが使用可能である。本実施形態では、バルブ１４をハロゲンランプで構成する例を示す。リフレクタ１６はバルブ１４から放射される光を反射する。そして、バルブ１４からの光及びリフレクタ１６で反射した光は、その一部がシェード機構１８を構成する可動シェードユニット１２を経て投影レンズ２０へと導かれる。
【００２３】
可動シェードユニット１２は例えば車幅方向に延設される回転軸１２ａを中心に回動可能な回転シェードで構成できる。回転シェードは、例えば円筒形状の母材の表面にロービーム用のシェードや左側のみをハイビーム状態にする左片ハイ用のシェードや右側のみをハイビーム状態にする右片ハイ用のシェード、ハイビームを形成するためのハイビーム用の切欠部などを有する。そして、要求される配光パターンに応じたシェードまたは切欠部をバルブ１４の光軸上に移動させる。移動したシェードは、バルブ１４からの直接光やリフレクタ１６からの反射光の一部を遮光してシェード形状に応じた配光パターンを形成する。また、切欠部が光軸上に移動した場合には、バルブ１４からの直接光やリフレクタ１６からの反射光を基本的には遮光しないハイビーム用の配光パターンを形成する。なお、配光パターンがロービームとハイビームのみの場合、シェードは光軸上に進出して光を遮光してロービームを形成し、光軸上から退避して非遮光としてハイビームを形成する板状シェードでもよい。この場合、板状シェードは、光軸と直交する鉛直方向に移動してもよいし、板状シェードの一端側を支持する回動軸を中心に回動するものでもよい。
【００２４】
照射制御部２２８は、運転者が操作する前照灯スイッチの操作状態に応じて可動シェードユニット１２を回動させて複数の配光パターンの中からいずれかを選択する。これを手動選択モードという。また、照射制御部２２８は、車両制御部３０２を介して取得される車外状況に応じて可動シェードユニット１２を回動させて複数の配光パターンの中からいずれかを自動的に選択する。これを自動選択モードという。例えば、自車線の前方に前走車が存在し、かつ対向車線に対向車や歩行者が存在する場合、ロービームを形成するシェードを光軸上に移動させる。ロービーム用の配光パターンの形成により、自車線側の前走車、対向車線側の対向車や歩行者へのグレア付与を抑制できる。また、自車線の前方に前走車が存在せず、かつ対向車線に対向車や歩行者が存在しない場合、ハイビームを形成する切欠部を光軸上に移動させる。ハイビーム用の配光パターンの形成により、自車の運転者の視界範囲の拡大ができる。また、自車線の前方に前走車が存在し、かつ対向車線に対向車や歩行者が存在しない場合、対向車線側である右側のみがハイビーム状態となる右片ハイビームを形成するシェードを光軸上に移動させる。右片ハイビーム用の配光パターンの形成により、自車線側の前走車に対するグレアを抑制しつつ、自車の運転者の対向車線側の視界範囲の拡大ができる。同様に、自車線の前方に前走車が存在せず、かつ対向車線に対向車や歩行者が存在する場合、自車線側である左側のみがハイビーム状態となる左片ハイビームを形成するシェードを光軸上に移動させる。左片ハイビーム用の配光パターンの形成により、自車線側で自車の運転者の視界範囲の拡大を実現しつつ、対向車線側の対向車や歩行者へのグレアを抑制した前照灯の照射ができる。
【００２５】
このような配光パターンの切り替えを手動選択モードで行う場合は、運転者の周囲状況の把握により実行され、自動選択モードの場合は、撮影ユニット１０２で取得された情報等に基づいて自動的に実行される。自動選択モードの利用により、運転者の判断ではハイビームや左右片ハイが使用されにくい状況でも、その利用が促進されハイビームの有効利用ができる。また、運転者の視界範囲を拡大し運転者の安心感の向上に寄与できる。なお、手動選択モードと自動選択モードの切り替えは、運転者の操作によって行ってもよいし、基本状態を例えば自動選択モードとして、運転者の操作により手動選択モードに移行させるようにしてもよい。また、その逆でもよい。
【００２６】
ところで、前述したように防眩柵を備えた道路がある。図３（ａ）、図３（ｂ）は、板状の防眩柵２００（２００ａ、２００ｂ）が自車線２０２と対向車線２０４と間に設置されている例である。そして、前照灯ユニット２１０を自動選択モードで使用していて、車外状況にしたがってハイビームが照射されていたとする。すなわち、自車２０６の前方に前走車が存在せず、また対向車や歩行者等の存在も検出できない場合である。この場合、自車２０６の運転者の視界拡大を重視してハイビーム配光パターンＨｉを照射するようになる。この場合、図３（ａ）に示すように、自車２０６の照射するハイビーム配光パターンＨｉの照射領域に対して十分な高さＨの防眩柵２００ａが設けられている場合、自車２０６の照射するハイビームの光は、防眩柵２００ａにより遮光され、対向車線２０４へは照射されない。
【００２７】
一方、図３（ｂ）に示すように、自車２０６の照射するハイビーム配光パターンＨｉの照射領域に対して十分でない高さＨの防眩柵２００ｂが設けられている場合を考える。この場合、自車２０６の照射するハイビームの光の上部部分（編目部分：領域Ｓ）は、防眩柵２００ｂを越えて対向車線２０４側へ照射されてしまう。この場合、自車２０６の撮影ユニット１０２は、仮に防眩柵２００ｂの向こう側の対向車が存在していたとしても防眩柵２００ｂにより対向車の外形の一部やヘッドランプが遮られる可能性があり、パターン認識や光点検出等にでは、その存在を検出できない場合がある。つまり、車両制御部３０２は、対向車が存在しないと判定してハイビーム配光パターンを照射し続ける。その結果、対向車の運転者や対向車線の歩行者にグレアを与えてしまう可能性がある。
【００２８】
そこで、本実施形態の撮影ユニット１０２は、灯具ユニット１０の光により照らされる防眩柵２００を含む壁面画像を撮影し、検出ユニット１０４にその壁面画像を提供する。つまり、検出ユニット１０４は、壁面画像に映り込む自車２０６の配光パターンによる光の映込形状を取得する。そして、車両制御部３０２は、実際に自車２０６の照射した配光パターンによる光が防眩柵２００を越えている場合には、対向車や歩行者の存在が検出できない場合でも対向車線側にグレアを与えにくい配光パターンに切り替える。例えば、車両制御部３０２は、ハイビーム以外の配光パターンに切り替えるように灯具ユニット１０を制御する。つまり、少なくともハイビーム状態での照射を回避するように制御する。
【００２９】
自車２０６の照射した配光パターンによる光が防眩柵２００を越えているか否かの判別は種々の方法により実現することができる。例えば、配光パターンの光が防眩柵２００に当たっている場合、実際に光の当たっている領域と当たっていない領域では光度が異なる。図３（ａ）に示すように、自車２０６の照射した配光パターンによる光が防眩柵２００を越えていない場合、防眩柵２００の映像内で防眩柵２００の上下方向で光が当たり明るい領域Ｍと光が当たらずに領域Ｍより光度の低い領域Ｎが形成される。つまり、映込形状の上端部分より上に防眩柵２００の上端部分が存在していることになる。これによって、自車２０６の照射した配光パターンによる光が防眩柵２００を越えていないことを検出できる。
【００３０】
一方、図３（ｂ）に示すように、自車２０６の照射した配光パターンによる光が防眩柵２００を越えている場合、防眩柵２００の映像内で防眩柵２００の上下方向では、光が当たり明るい領域Ｍのみが存在することになる。つまり、配光パターンの上端部分が防眩柵２００の上端部分を越えることにより、防眩柵２００の映像内において防眩柵２００の上下方向で領域Ｍより光度の低い領域Ｎが存在しないことになる。これによって、自車２０６の照射した配光パターンによる光が防眩柵２００を越えていることを検出できる。
【００３１】
図４は、車両制御部３０２における制御を説明するフローチャートである。  
車両制御部３０２は、自車２０６のイグニッションがオンされると、このフローの処理を所定間隔で実行されるようにすることができる。この実行間隔は任意であるが、例えば１秒おきとすることができる。また、処理の実行間隔は、車速に応じて変化させてもよい。例えば、防眩柵２００の高さが場所ごとに変化しているような道路の場合、低速で走行していれば、同じ高さの防眩柵２００の側方を走行している時間が長くなる。逆に、高速で走行している場合、同じ高さの防眩柵２００の側方を走行している時間が短くなる。そこで、６０ｋｍ／ｈ以上で走行している場合は、０．２秒間隔で実行し、６０ｋｍ／ｈ未満で走行している場合は、１秒間隔で実行するようにしてもよい。
【００３２】
まず、車両制御部３０２は、前照灯ユニット２１０が点灯状態か確認する。消灯状態の場合（Ｓ１００のＮ）、このフローを終了する。一方、前照灯ユニット２１０が点灯中の場合（Ｓ１００のＹ）、現在の前照灯ユニット２１０の制御状態が自車２０６の周囲の状況に応じて配光パターンを自動的に切り替える自動切替制御中か否か確認する。前走車や対向車、歩行者等の存在の有無によって配光パターンを切り替えている自動切替制御中の場合（Ｓ１０２のＹ）、車両制御部３０２は、検出ユニット１０４を介して撮影ユニット１０２が取得した画像に基づいて、走行に最適な配光パターンを選択し照射する（Ｓ１０４）。例えば、撮影ユニット１０２が取得した画像で前走車や対向車、歩行者等が存在しないと判定できる場合には、自車２０６の運転者の視界範囲を拡大させるために図５（ａ）に示すようなハイビームの配光パターンを選択する。また、前走車や対向車、歩行者等のうち少なくともいずれか１つが存在すると判定できる場合には、ハイビーム以外の配光パターン、例えば図５（ｂ）に示すようなロービームの配光パターンを選択する。車両制御部３０２は、この配光パターンの選択に併せて防眩柵２００の高さを検出するために検出ユニット１０４の取得した壁面画像を更新する（Ｓ１０６）。なお、この壁面画像は、撮影ユニット１０２の撮影した全画角の画像でもよいし、壁面を中心とする部分画像でもよい。
【００３３】
続いて、車両制御部３０２は、現在の灯具ユニット１０の照射状態が防眩柵２００側、つまり対向車線側にグレアを与える可能性のある配光パターン、例えばハイビームか否かを確認する。そして、現在の照射状態がグレアを与える可能性のある配光パターン、例えばハイビームの場合（Ｓ１０８のＹ）、車両制御部３０２は現在の壁面画像を解析して、自車２０６の配光パターンの光が防眩柵２００を越えているか確認する。もし、図３（ｂ）に示すように、自車２０６の配光パターンの光が防眩柵２００を越えている場合（Ｓ１１０のＹ）、灯具ユニット１０の少なくともハイビーム状態での照射を回避する回避制御をオンする（Ｓ１１２）。つまり、前走車や対向車、歩行者等の有無に拘わらずロービームの配光パターンに切り替える。
【００３４】
ところで、上述したように、回避制御に従いハイビーム以外の配光パターンに切り替えた場合でも、防眩柵２００の向こう側にグレア抑制の対象物、例えば対向車や歩行者がしにくいことには変わりがない。そのため、前走車等自車線にグレア抑制の対象が現れない限り再びハイビームへ切り替わる可能性が高い。その結果、再び光が壁面上端位置を越えて照射されることになる。そして、再び回避制御が実行されてハイビーム以外の配光パターン、例えばロービームに切り替わる。つまり、ハイビームとロービームが繰り返しスイッチングされるパッシング状態になる。そこで、本実施形態においては、車両制御部３０２は回避制御の実行中の場合、灯具ユニット１０の自動切替制御を少なくとも所定期間停止する（Ｓ１１４）。このように回避制御を停止することで、ハイビーム以外の配光パターンの照射、例えばロービームの照射が維持されパッシング現象を回避できる。ただし、回避制御を長期間停止したままにしておくと、自車２０６の移動により側方の防眩柵２００の高さが変わった場合に対応できない。つまり、防眩柵２００の高さが図３（ａ）のように十分高い位置に自車２０６が移動した場合で、ハイビームの利用が可能になった場合でもロービームが維持されてしまい、配光パターンの自動切替制御のメリットが損なわれる。そこで、車両制御部３０２は、自動切替制御を停止してから所定期間、例えば、６０秒経過したか否か確認する。もし、自動切替制御を停止してから所定期間経過している場合（Ｓ１１６のＹ）、自動切替制御を復帰させて、光が防眩柵２００を越えているか否かの検出を可能な状態にしてこのフローを終了する（Ｓ１１８）。なお、Ｓ１１６の所定期間の設定は、固定値でもよいし、車速に応じた変動値でもよい。つまり、防眩柵２００の高さが場所ごとに変化しているような道路の場合、低速で走行していれば、同じ高さの防眩柵２００の側方を走行している時間が長くなる。逆に、高速で走行している場合、同じ高さの防眩柵２００の側方を走行している時間が短くなる。そこで、６０ｋｍ／ｈ以上で走行している場合は、例えば６０秒とし、６０ｋｍ／ｈ未満で走行している場合は、１８０秒としてもよい。
【００３５】
自動切替制御を停止してから所定期間経過していない場合（Ｓ１１６のＮ）、Ｓ１１８の処理をスキップしてこのフローを終了する。Ｓ１１０において、自車２０６の配光パターンの光が防眩柵２００を越えていない場合（Ｓ１１０のＮ）、つまり、図３（ａ）のような場合、Ｓ１１０からＳ１１８の処理をスキップして、現在の配光パターンによる照射を維持する。Ｓ１０８において、現在の灯具ユニット１０の照射状態がハイビームではない場合（Ｓ１０８のＮ）、つまり、自車２０６の配光パターンの光がグレアを与えるような状態ではない場合、Ｓ１０８からＳ１１８の処理をスキップして、このフローを終了する。また、Ｓ１０２において、自動切替制御中でない場合（Ｓ１０２のＮ）、つまり、自車２０６の運転者の判断により配光パターンの切り替えを実行している場合は、Ｓ１０４からＳ１１８の処理をスキップして、このフローを終了する。
【００３６】
図４のフローは前述したように所定間隔で繰り返し実行されるので、防眩柵２００の高さの変化を含めた車両周囲の状況を考慮して、自車２０６の運転者および前走車や対向車、歩行者等にとって最適な配光パターンの選択をスムーズにできる。
【００３７】
なお、上述の説明では、自車２０６の配光パターンの光が防眩柵２００を越えている場合に、配光パターンをロービームに切り替えることにより防眩柵２００の光の飛び越えを防止する例を示した。別の例では、車両制御部３０２は、図５（ｃ）に示すように、ハイビーム状態の配光パターンを車幅方向に複数に分割して部分的に消灯した状態を形成できる縦割分割パターンを用いて防眩柵２００の光の飛び越えを防止してもよい。つまり、自車線側をハイビームとし、対向車線側、つまり防眩柵２００側をロービームとする片側ハイビームを形成して、防眩柵２００を照らしているハイビームのうち、縦割分割パターンの一部を選択的に消灯してもよい。このような片側ハイビームの配光パターンは、例えば、ロービームを形成するときにバルブ１４からの光の一部を遮光する板状シェードを車幅方向に複数に分割して、個別に遮蔽/非遮蔽を切り替えられる複数の縦分割シェードで構成することで形成できる。例えば、図５（ｃ）の片側ハイビームを縦分割シェードで形成する場合、分割数は最低２個とすることができる。なお、分割数を増やせば、防眩柵２００を越える部分のみを選択的に消灯することも可能であり、自車２０６の運転者の視界範囲を拡大することができる。また、図２に示すような可動シェードユニット１２を用いる用いる場合、回転シェードの表面の一部に、片側ハイビーム用のシェードを形成すればよい。この場合、可動シェードユニット１２を回転させるのみで本実施形態の回避制御が可能になり、上述した縦分割シェードを個別のアクチュエータで制御する場合より容易に制御できるメリットがある。また、複数の光源により配光パターンを形成する場合は、個々の光源の点消灯制御により片側ハイビームを形成してもよい。
【００３８】
また、上述した例では、自車２０６の配光パターンの光が防眩柵２００を越えているか否かを防眩柵２００上の光度の変化に基づいて判別する例をしました。別の例では、例えば、防眩柵２００に映りこむ配光パターンの光の映込形状に応じて判別してもよい。例えば、自車２０６の配光パターンの光が防眩柵２００を越えていない場合、映込形状の上端部分は、配光パターンによって定まる形状となる。一方、自車２０６の配光パターンの光が防眩柵２００を越えている場合は、映込形状の上端部分は欠けることになり、配光パターンによって定まる形状とは異なる形状となる。従って、この違いから光が防眩柵２００を越えているか否かを判別してもよい。この場合、形状比較のみで判別できるので、光度判別する場合に比べ処理が容易である。なお、この場合、道路が直線か曲線か、またその曲率の程度や壁面までの距離に応じて映込形状が異なる。従って、道路の形状や壁面までの距離に応じた基準映込形状を予め複数準備しておく必要がある。
【００３９】
また、本実施形態では、撮影ユニット１０２が取得した画像を検出ユニット１０４を介して車両制御部３０２で解析して、その結果で照射制御部２２８を制御する例を説明したが、前照灯ユニット２１０側、車両側いずれで取得情報の解析を行ったり、それに基づく制御を行ってもよい。例えば、撮影ユニット１０２の取得した画像を直接照射制御部２２８で解析して灯具ユニット１０を制御するようにしてもよく、本実施形態と同様の効果を得ることができる。
【００４０】
本発明は、上述の各実施形態に限定されるものではなく、当業者の知識に基づいて各種の設計変更等の変形を加えることも可能である。各図に示す構成は、一例を説明するためのもので、同様な機能を達成できる構成であれば、適宜変更可能であり、同様な効果を得ることができる。
【符号の説明】
【００４１】
１０  灯具ユニット、  １００  前照灯制御システム、  １０２  撮影ユニット、  １０４  検出ユニット、２００  防眩柵、  ２０２  自車線、  ２０４  対向車線、  ２０６  自車、  ２１０  前照灯ユニット、  ２２８  照射制御部、  ３０２  車両制御部。
【図１】
2011143772.tif 000003
【図２】
2011143772.tif 000004
【図３】
2011143772.tif 000005
【図４】
2011143772.tif 000006
【図５】
2011143772.tif 000007